(57)【特許請求の範囲】
【請求項１】
実物体の物理的特徴を表す属性値を検出する複数のセンサと、電子情報を記憶する第１の記憶装置と、前記属性値、時間情報及び環境情報とこれらにそれぞれ対応するキーワード情報とを関連付けて記憶する第２の記憶装置と、前記キーワード情報と前記電子情報の記憶場所を表す情報とを関連付けて記憶する第３の記憶装置と、前記複数のセンサ及び前記第１、第２及び第３の記憶装置との間でそれぞれ情報の伝送が可能な制御装置とを具備し、
前記制御装置は、
登録対象とする属性値の種類、又は当該属性値を検出するセンサを選択する選択手段と、
前記選択されたセンサにより検出された実物体の物理的特徴を表す属性値、又は前記複数のセンサにより検出された実物体の物理的特徴を表す複数の属性値のうち前記選択された種類に対応する属性値を取得する属性値取得処理手段と、
登録モードにおいて、前記取得された属性値、当該属性値を取得したときの時刻及び当該属性値のうち環境を表す値にそれぞれ関連付けられている第１、第２及び第３のキーワード情報を前記第２の記憶装置から読み出し、この読み出された各キーワード情報を前記第１の記憶装置における前記電子情報の記憶場所を表す情報と関連付けて前記第３の記憶装置に記憶させる登録処理手段と、
アクセスモードにおいて、前記取得された属性値、当該属性値を取得したときの時刻及び当該属性値のうち環境を表す値をそれぞれ前記第２の記憶装置に記憶された情報をもとに第４、第５及び第６のキーワード情報に変換し、この変換された各キーワード情報をもとに前記第３の記憶装置から当該キーワード情報と関連付けられている電子情報の記憶場所を表す情報を読み出し、この読み出された記憶場所を表す情報をもとに前記第１の記憶装置から電子情報を読み出すアクセス処理手段と
を備えることを特徴とする電子情報アクセスシステム。
【請求項２】
前記選択手段は、前記複数のセンサの中から、属性値の検出対象とする複数のセンサの組み合わせを、ユーザの手動操作又は前記制御装置の設定処理に応じて選択することを特徴とする請求項１記載の電子情報アクセスシステム。
【請求項３】
実物体の物理的特徴を表す属性値を検出する複数のセンサと、電子情報を記憶する第１の記憶装置と、前記属性値、時間情報及び環境情報とこれらにそれぞれ対応するキーワード情報とを関連付けて記憶する第２の記憶装置と、前記キーワード情報と前記電子情報の記憶場所を表す情報とを関連付けて記憶する第３の記憶装置と、前記複数のセンサ及び前記第１、第２及び第３の記憶装置との間でそれぞれ情報の伝送が可能な制御装置とを具備するシステムで使用される電子情報アクセス方法であって、
前記制御装置が、登録対象とする属性値の種類、又は当該属性値を検出するセンサを選択する選択過程と、
前記制御装置が、前記選択されたセンサにより検出された実物体の物理的特徴を表す属性値、又は前記複数のセンサにより検出された実物体の物理的特徴を表す複数の属性値のうち前記選択された種類に対応する属性値を取得する属性値取得処理過程と、
前記制御装置が、登録モードにおいて、前記取得された属性値、当該属性値を取得したときの時刻及び当該属性値のうち環境を表す値にそれぞれ関連付けられている第１、第２及び第３のキーワード情報を前記第２の記憶装置から読み出し、この読み出された各キーワード情報を前記第１の記憶装置における前記電子情報の記憶場所を表す情報と関連付けて前記第３の記憶装置に記憶させる登録処理過程と、
前記制御装置が、アクセスモードにおいて、前記取得された属性値、当該属性値を取得したときの時刻及び当該属性値のうち環境を表す値をそれぞれ前記第２の記憶装置に記憶された情報をもとに第４、第５及び第６のキーワード情報に変換し、この変換された各キーワード情報をもとに前記第３の記憶装置から当該キーワード情報と関連付けられている電子情報の記憶場所を表す情報を読み出し、この読み出された記憶場所を表す情報をもとに前記第１の記憶装置から電子情報を読み出すアクセス処理過程と
を備えることを特徴とする電子情報アクセス方法。
【請求項４】
前記選択過程は、前記複数のセンサの中から、属性値の検出対象とする複数のセンサの組み合わせを、ユーザの手動操作又は前記制御装置の設定処理に応じて選択することを特徴とする請求項３記載の電子情報アクセス方法。
【請求項５】
請求項１又は請求項２記載の電子情報アクセスシステムの制御装置が備える各手段による処理を、当該制御装置が備えるコンピュータに実行させるプログラム。
【発明の詳細な説明】
【技術分野】
【０００１】
この発明は、データベースに記憶された電子情報にアクセスするための電子情報アクセスシステムと、このシステムで使用される電子情報アクセス方法及びプログラムに関する。
【背景技術】
【０００２】
近年、ユーザの仕事、家事及び趣味に関する情報や行動履歴を表す電子情報をユーザの端末やＷｅｂ上のサーバに設けられたデータベースに記憶しておき、必要に応じてこのデータベースに対しアクセスすることにより所望の電子情報を読み出してユーザ端末等に表示することが頻繁に行われている。また、ユーザの認証に必要な識別情報やパスワードをデータベースに記憶しておき、この記憶情報をもとにユーザの認証を行うことも行われている。
【０００３】
ところで、データベースに記憶された電子情報にアクセスする場合、ユーザはアクセス対象の電子情報の記憶場所を表すフォルダ名やＵＲＬ、さらにはキーワード等を入力することが一般的である。このため、ユーザは電子情報が記憶されているフォルダ名やＵＲＬ、キーワードを自分自身で覚えておくか又はメモしておく必要があり、アクセスに手間や時間を要する。
【０００４】
一方、周辺環境を表すデータを標準データとして記憶手段に記憶しておき、センサにより周辺環境の状態を観測して、その観測データをもとに上記記憶手段をアクセスすることにより観測データと類似する標準データを検索し表示する検索システムも提案されている（例えば特許文献１を参照）。
【０００５】
また、ユーザの感情を評価するための基準特徴量を予め記憶しておき、ユーザがメッセージを作成する過程でその特徴量を測定してこの測定した特徴量と上記記憶された基準特徴量とを比較することによりユーザの感情を評価し、この評価された感情に対応する感情情報をメッセージに付加する技術も提案されている（例えば特許文献２を参照）。
【０００６】
これらのシステム又は技術を用いれば、ユーザは電子情報の記憶場所を表す情報やキーワードを覚えておいて自ら入力する必要はないので、操作上の負荷は大幅に軽減される。しかし、検索対象の情報が環境情報や感情を表す情報等の決められたジャンルの情報に限られ、多種多様な電子情報に対しアクセスすることは不可能である。
【先行技術文献】
【特許文献】
【０００７】
【特許文献１】特開２００７−１８８２８７号公報
【特許文献２】特開２００８−３１０３８４号公報
【発明の概要】
【発明が解決しようとする課題】
【０００８】
以上述べたように従来の一般的な電子情報アクセスシステムでは、電子情報が記憶されているフォルダ名やＵＲＬ、キーワードをユーザが自身で覚えておいて入力する必要があり、アクセスに手間や時間を要するため操作性に難がある。また、測定された観測データや特徴量を表すデータをもとに記憶手段をアクセスする技術では、アクセス対象の電子情報が特定のジャンルの情報に限られ、汎用性に乏しいという課題がある。
【０００９】
この発明は上記事情に着目してなされたもので、その目的とするところは、多種多様な電子情報に対し特別な操作を必要とすることなく簡単かつ迅速にアクセスできるようにし、これにより操作性に優れかつ汎用性の高い電子情報アクセスシステム、方法及びプログラムを提供することにある。
【課題を解決するための手段】
【００１３】
上記目的を達成するためにこの発明の第１の観点は、実物体の物理的特徴を表す属性値を検出する複数のセンサと、電子情報を記憶する第１の記憶装置と、上記属性値、時間情報及び環境情報とこれらにそれぞれ対応するキーワード情報とを関連付けて記憶する第２の記憶装置と、上記キーワード情報と上記電子情報の記憶場所を表す情報とを関連付けて記憶する第３の記憶装置と、上記複数のセンサ及び上記第１、第２及び第３の記憶装置との間でそれぞれ情報の伝送が可能な制御装置とを具備する。そして、制御装置により、先ず登録対象とする属性値の種類、又は当該属性値を検出するセンサを選択して、この選択されたセンサにより検出された実物体の物理的特徴を表す属性値、又は上記複数のセンサにより検出された実物体の物理的特徴を表す複数の属性値のうち上記選択された種類に対応する属性値を取得する。そして、登録モードにおいて、上記取得された属性値、当該属性値を取得したときの時刻及び当該属性値のうち環境を表す値にそれぞれ関連付けられている第１、第２及び第３のキーワード情報を上記第２の記憶装置から読み出し、この読み出された各キーワード情報を上記第１の記憶装置における上記電子情報の記憶場所を表す情報と関連付けて上記第３の記憶装置に記憶させる。またアクセスモードにおいては、上記取得された属性値、当該属性値を取得したときの時刻及び当該属性値のうち環境を表す値を上記第２の記憶装置に記憶された情報をもとに第４、第５及び第６のキーワード情報に変換し、この変換された各キーワード情報をもとに上記第３の記憶装置から当該キーワード情報と関連付けられている電子情報の記憶場所を表す情報を読み出し、この読み出された記憶場所を表す情報をもとに上記第１の記憶装置から電子情報を読み出すようにしたものである。
【００１４】
したがって、実物体の物理的特徴を表す属性値がキーワードに変換され、このキーワードをもとに電子情報が検索される。このため、実物体の物理的特徴を表す属性値と直接的に関連する電子情報だけでなく、キーワードを介して間接的に関連付けられたより広範囲の電子情報を検索しユーザに提示することが可能となる。
【００１７】
また、この発明の第１の観点は、上記選択手段により、上記複数のセンサの中から、属性値の検出対象とする複数のセンサの組み合わせを、ユーザの手動操作又は前記制御装置の設定処理に応じて選択することも特徴とする。
このようにすると、ユーザの手動操作又は制御装置の設定処理により、複数の属性値の中から属性値の検出対象とする複数のセンサの組み合わせが設定される。このため、この属性値の組み合わせを索引情報に用いることで、属性情報はより複雑になって複製がより困難になるので、より高い安全性を保証することができる。
【発明の効果】
【００１８】
すなわちこの発明によれば、多種多様な電子情報に対し特別な操作を必要とすることなく簡単かつ迅速にアクセスでき、これにより操作性に優れかつ汎用性の高い電子情報アクセスシステム、方法及びプログラムを提供することができる。
【図面の簡単な説明】
【００１９】
【図１】この発明の第１の実施形態に係る電子情報アクセスシステムの概略構成図。
【図２】図１に示した電子情報アクセスシステムのアクセス端末の機能構成を示すブロック図。
【図３】図１に示した電子情報アクセスシステムのデータベースサーバの機能構成を示すブロック図。
【図４】図３に示したデータベースサーバに設けられた属性情報データベースの構成の第１の例を示す図。
【図５】図３に示したデータベースサーバに設けられた属性情報データベースの構成の第２の例を示す図。
【図６】図２に示したアクセス端末から送信される属性情報の伝送フォーマットを示す図。
【図７】図２に示したアクセス端末及び図３に示したデータベースサーバによる属性情報登録処理手順と処理内容を示すフローチャート。
【図８】図２に示したアクセス端末及び図３に示したデータベースサーバによる電子情報アクセス処理手順と処理内容を示すフローチャート。
【図９】この発明の第２の実施形態に係る電子情報アクセスシステムで使用されるアクセス端末の機能構成を示すブロック図。
【図１０】この発明の第２の実施形態に係る電子情報アクセスシステムで使用されるデータベースサーバの機能構成を示すブロック図。
【図１１】図９に示したアクセス端末に設けられたキーワードデータベースの構成の一例を示す図。
【図１２】図９に示したアクセス端末及び図１０に示したデータベースサーバによる電子情報アクセス処理手順と処理内容を示すフローチャート。
【図１３】この発明の第３の実施形態に係る電子情報アクセスシステムで使用されるアクセス端末の機能構成を示すブロック図。
【図１４】この発明の第３の実施形態に係る電子情報アクセスシステムで使用されるデータベースサーバの機能構成を示すブロック図。
【図１５】図１３に示したアクセス端末に設けられたコンテンツキーワードデータベースの構成の一例を示す図。
【図１６】図１３に示したアクセス端末に設けられた演出効果データベースの構成の一例を示す図。
【図１７】図１３に示したアクセス端末及び図１４に示したデータベースサーバによる属性情報登録処理手順と処理内容を示すフローチャート。
【図１８】図１３に示したアクセス端末及び図１４に示したデータベースサーバによる電子情報アクセス処理手順と処理内容を示すフローチャート。
【発明を実施するための形態】
【００２０】
以下、図面を参照してこの発明に係わる実施形態を説明する。  
［第１の実施形態］
（構成）
図１は、この発明の第１の実施形態に係る電子情報アクセスシステムの概略構成図である。  
この電子情報アクセスシステムは、センサ群ＳＳが接続されるアクセス端末ＡＴと、モニタ機能を有する情報提示端末ＴＭと、Ｗｅｂ上に設けられるデータベースサーバＤＳＶとを備え、アクセス端末ＡＴ及び情報提示端末ＴＭとデータベースサーバＤＳＶとの間で通信ネットワークＮＷを介して通信可能としたものである。
【００２１】
センサ群ＳＳ及びアクセス端末ＡＴは以下のように構成される。図２はその機能構成を示すブロック図である。  
すなわち、センサ群ＳＳは、イメージセンサ、加速度センサ、重量センサ、温度センサ等の複数種類のセンサ３１〜３ｎを有し、それぞれ検出対象となる実物体の物理的特徴量を検出するために用いられる。これらのセンサ３１〜３ｎは、実物体の物理的特徴量を検出可能な場所に配置され、それぞれが信号線を介してアクセス端末ＡＴａに接続される。なお、接続手段としては、ＵＳＢケーブル等の信号線インタフェースか、或いは無線ＬＡＮ（Local Area Network）やBluetooth（登録商標）等の近距離無線データインタフェースが用いられる。またセンサ群ＳＳは、アクセス端末ＡＴａの筐体に取り付けたり、或いは内蔵してもよい。
【００２２】
アクセス端末ＡＴａは、例えば携帯電話機やスマートホン、ＰＤＡ（Personal Digital Assistant）、電子書籍端末、ノート型のパーソナル・コンピュータ等の携帯端末、又は据え置き型のパーソナル・コンピュータからなり、制御ユニット１０ａと、入力部２０と、通信インタフェースユニット３０を備えている。
【００２３】
入力部２０は例えばキーボード又はタッチ式のタブレット型入力デバイスからなり、ユーザが手操作により入力したコマンドデータ等を制御ユニット１０ａに伝える。通信インタフェースユニット３０は、制御ユニット１０ａの制御の下で、データベースサーバＤＳＶとの間で通信ネットワークＮＷにより規定される通信プロトコルに従いデータ伝送を行う。
【００２４】
制御ユニット１０ａは、中央処理部（Central Processing Unit：ＣＰＵ）と、プログラムメモリと、データの書込み及び読み出しが可能なデータメモリと、センサインタフェース部を備え、この発明の第１の実施形態を実施するために必要な制御機能として、属性情報選択処理部１１と、属性情報取得制御部１２と、符号化処理部１３と、属性情報送信制御部１４を備えている。なお、これらの処理部は何れもプログラムメモリに格納されたアプリケーション・プログラムを上記ＣＰＵに実行させることにより実現される。
【００２５】
属性情報選択処理部１１は、センサ３１〜３ｎにより検出される実物体の物理的特徴量を表す属性値のうち、どれをデータベースサーバＤＳＶへの登録対象とするかを事前に選択し設定するもので、設定手段としてはユーザによる手動設定と、属性情報選択処理部１１による自動設定が用意される。
【００２６】
手動設定は、ユーザが入力部２０において選択対象のセンサ又は属性値の種類を指定入力することにより行われる。自動設定は、制御ユニット１０ａが、本システムを用いて実行しようとするアクセスの種類、例えば認証、検索又は演出効果の付加等に応じて、予め用意されたアクセス種別とセンサ又は属性値の種類との対応関係を表すテーブルをもとに、当該アクセスに必要なセンサ又は属性値の種類を選択的に読み出して設定することにより行われる。
【００２７】
属性情報取得制御部１２は、上記属性情報選択処理部１１により選択されたセンサから、当該センサにより検出された実物体の物理的特徴量を表す属性値を取り込む処理を行う。なお、すべてのセンサ３１〜３ｎから実物体の物理的特徴量を表す属性値を取り込んだのち、これらの属性値の中から上記属性情報選択処理部１１により選択設定された種類の属性値のみを登録対象として選択する処理を行うことも可能である。
【００２８】
符号化処理部１３は、上記属性情報取得制御部１２により取り込まれた登録対象の属性値を予め決められた伝送フォーマットに従い符号化する処理を行う。図６はこの伝送フォーマットの一例を示すものである。この伝送フォーマットは、登録対象となる属性値の種類ごとに当該種類を表す情報と属性値データとからなる情報セットを生成し、これらの情報セットと属性値の種類数を表す情報を開始信号と終了信号との間に時系列に配置したものとなっている。
【００２９】
属性情報送信制御部１４は、上記符号化処理部１３により生成された属性情報を、登録要求或いはアクセス要求と共に、通信インタフェースユニット３０からデータベースサーバＤＳＶに向け送信する処理を行う。
【００３０】
データベースサーバＤＳＶａは以下のように構成される。図３はその機能構成を示すブロック図である。  
すなわち、データサーバＤＳＶａはサーバ・コンピュータからなり、制御ユニット４０ａと、通信インタフェースユニット５０と、記憶ユニット６０を備えている。このうち通信インタフェースユニット５０は、制御ユニット４０ａの制御の下で、前記アクセス端末ＡＴａ及び情報提示端末ＴＭとの間で通信ネットワークＮＷにより規定される通信プロトコルに従いデータの受信及び送信を行う機能を有する。
【００３１】
記憶ユニット６０は随時書込み及び読出しが可能な記憶媒体を用いたもので、電子情報データベース６１と、属性情報データベース６２を備えている。電子情報データベース６１は、ユーザ或いは第三者が作成した文書ファイルや写真、映像等の電子情報を記憶するために用いられる。
【００３２】
属性情報データベース６２は、前記アクセス端末ＡＴａから送られた属性情報と、インデックス情報を記憶するために用いられる。インデックス情報は、上記属性情報と、当該属性情報に対応する電子情報の記憶場所を表す情報とを関連付けるものである。図４及び図５は属性情報データベース６２に記憶される属性情報とインデックス情報の例を示すもので、図中“ａ”、“ｂ”がインデックス情報を、またＩＰアドレスが電子情報の記憶場所を表す情報をそれぞれ示している。なお、電子情報の記憶場所を表す情報は、電子情報が上記電子情報データベース６１に記憶されている場合にはその記憶アドレスで表してもよい。
【００３３】
制御ユニット４０ａはＣＰＵ、プログラムメモリ及びデータメモリを備え、この発明の第１の実施形態を実施するために必要な制御機能として、属性情報受信制御部４１と、アドレス入力処理部４２と、インデックス発行処理部４３と、インデックス検索処理部４４と、電子情報検索処理部４５と、電子情報送信制御部４６を備えている。なお、これらの処理部は何れもプログラムメモリに格納されたアプリケーション・プログラムを上記ＣＰＵに実行させることにより実現される。
【００３４】
属性情報受信制御部４１は、前記アクセス端末ＡＴａから登録要求又はアクセス要求が送られた場合に、これらの要求と共に送られる属性情報を通信インタフェースユニット５０を介して受信する処理を行う。
アドレス入力処理部４２は、登録要求が受信された場合に、上記受信された属性情報に含まれる属性値と対応付けるべき電子情報の記憶場所を表す情報を取得する処理を行う。属性値と電子情報との対応付け手段としては、アクセス端末ＡＴにおいてユーザにより手動入力するものと、データベースサーバＤＳＶａが予め定められたルールに従い対応付けるものが考えられる。
【００３５】
インデックス発行処理部４３は、上記アドレス入力処理部４２により取得された電子情報の記憶場所を表す情報と、上記属性情報受信制御部４１により受信された属性値とを関連付けるための、共通のインデックスを発行する。そして、上記受信された属性値と上記発行されたインデックス情報を属性情報データベース６２に記憶させる処理を行う。
【００３６】
インデックス検索処理部４４は、アクセス要求が受信された場合に、当該アクセス要求と共に上記属性情報受信制御部４１により受信された属性情報に含まれる属性値と一致または閾値幅αの範囲で類似する属性値が上記属性情報データベース６２に記憶されているか否かを判定する。そして該当する属性値が記憶されていた場合に、当該属性値に関連付けられたインデックス情報を読み出す処理を行う。
【００３７】
電子情報検索処理部４５は、上記インデックス検索処理部４４により属性情報データベース６２から読み出されたインデックス情報をもとに上記属性情報データベース６２に対し照会し、当該インデックス情報が関連付けられた電子情報記憶場所を表す情報を読出す。そして、この読み出された記憶場所情報をもとにデータベースサーバＤＳＶａ内の電子情報データベース６１或いはＷｅｂ上のその他の電子情報データベースを検索して、当該記憶場所に記憶されている電子情報を取得する処理を行う。
【００３８】
電子情報送信制御部４６は、上記電子情報検索処理部４５により取得された電子情報を、送信先となる情報提示端末ＴＭに向け通信インタフェースユニット５０から送信させる処理を行う。送信先の情報提示端末としては、アクセス要求に含まれる送信先のアドレスにより指定される端末、或いはアクセス要求元のアクセス端末ＡＴのアドレスに予め対応付けられた送信先端末が選択される。
【００３９】
（動作）
次に、以上のように構成されたシステムによる属性情報登録処理動作と、電子情報アクセス処理動作を説明する。図７は属性情報登録処理の処理手順と処理内容を示すフローチャート、図８は検索を目的とした電子情報アクセス処理の処理手順と処理内容を示すフローチャートである。
【００４０】
（１）属性情報の選択設定
アクセス端末ＡＴａは、待機状態において属性情報選択処理部１１の制御の下で属性情報の選択処理を行う。すなわち、図７のステップＳ１１において選択種別の入力操作を監視する。この状態で、ユーザが入力部２０において登録を希望するセンサ又は属性値の種別を表す情報を入力すると、ステップＳ１２において上記入力されたセンサ又は属性値の選択種別情報を受付けて制御ユニット１０ａ内のデータメモリに保存する。
【００４１】
なお、上記センサ又は属性値の種別を表す情報を、アクセス端末ＡＴａの制御ユニット１０ａの制御の下で自動的に選択し設定することも可能である。この自動的な選択設定処理は、本システムを用いて実行しようとするアクセスの種類、例えば認証、検索又は演出効果の付加等に応じて、アクセス種別とセンサ又は属性値の種類との対応関係を表すテーブルを検索することにより、当該アクセスに必要なセンサ又は属性値の種類を選択的に読み出して設定することにより行われる。
【００４２】
（２）属性情報の登録
（２−１）アクセス端末ＡＴａによる処理
上記属性情報の選択設定が終了すると、アクセス端末ＡＴａはステップＳ１３において登録要求の入力を監視する。この状態で、ユーザが登録対象の実物体の物理的特徴量をセンサ群ＳＳを用いて測定させ、かつ入力部２０において実物体の物理的特徴量を表す属性値の登録要求操作を行うと、ステップＳ１４において属性情報取得制御部１２が起動する。
【００４３】
そして、この属性情報取得制御部１２の制御の下で、センサ群ＳＳの各センサ３１〜３ｎから、これらのセンサ３１〜３ｎにより検出された実物体の物理的特徴量を表す属性値をそれぞれ取り込み、この取り込んだ各属性値を制御ユニット１０ａ内のデータメモリに保存する。このとき、先に述べた属性情報の選択設定処理において、取り込み対象となるセンサの種類が設定されている場合には、この選択設定されたセンサのみから属性値を読込む。これに対し、取り込み対象となる属性値の種類が設定されている場合には、すべてのセンサ３１〜３ｎから属性値を取り込み、この取り込んだ属性値の集合の中から上記予め選択設定されている属性値のみを選択してデータメモリに保存する。
【００４４】
次にアクセス端末ＡＴａは、ステップＳ１５において符号化処理部１３を起動する。そして、この符号化処理部１３において、上記センサから取り込んだ登録対象の属性値を予め決められた伝送フォーマットに従い符号化する。例えば、図６に示すように属性値の種類ごとに当該種類を表す情報と属性値データとからなる情報セットを生成し、これらの情報セットと属性値の種類数を表す情報を多重化する。
【００４５】
そしてアクセス端末ＡＴａは、ステップＳ１６において属性情報送信制御部１４を起動し、この属性情報送信制御部１４の制御の下で、上記符号化処理部１３により生成された属性情報及び登録要求を通信インタフェースユニット３０からデータベースサーバＤＳＶａに向け送信する。
【００４６】
（２−２）データベースサーバＤＳＶａによる処理
データベースサーバＤＳＶａの制御ユニット４０ａは、ステップＳ１７により登録要求の到来を監視している。この状態で、上記アクセス端末ＡＴａから登録要求が到来すると、ステップＳ１８により属性情報受信制御部４１を起動する。そして、この属性情報受信制御部４１の制御の下で、上記アクセス端末ＡＴａから送信された属性情報を通信インタフェースユニット５０により受信し、この受信された属性情報を制御ユニット４０ａ内のデータメモリに一時保存する。
【００４７】
次に制御ユニット４０ａは、ステップＳ１９によりアドレス入力処理部４２を起動し、このアドレス入力処理部４２により、上記受信された属性情報に含まれる属性値と対応付けるべき電子情報の記憶場所を表す情報を、例えばアクセス端末ＡＴａから取得する。なお、制御ユニット４０ａが予め定められたルールに従い電子情報の記憶場所を表す情報を取得するようにしてもよい。
【００４８】
続いて制御ユニット４０ａは、ステップＳ２０によりインデックス発行処理部４３を起動し、このインデックス発行処理部４３により上記アドレス入力処理部４２により取得された電子情報の記憶場所を表す情報と、上記属性情報受信制御部４１により受信された属性値とを関連付けるための共通のインデックスを発行する。そして、上記受信された属性値と上記発行されたインデックス情報を属性情報データベース６２に記憶させる。
【００４９】
例えば、図４又は図５に示すように、列には全てのセンサによって取得し得る全ての物理量が記述され、行にはインデックスが記述される。図４に示す重量センサのようにセンサから取得された値そのものをテーブルに格納する場合もあるし、図４に示すイメージセンサのようにセンサから取得された情報に対して計算処理を行い、この計算処理の結果をテーブルに格納する場合もある。その例としては、実物体の平均の明度値、実物体の形状、実物体の面積等が挙げられる。また、図４に示すように全てのセンサから物理量をセンシングしてテーブルに格納してもよいし、図５に示すように選択された一部のセンサ又は属性値のみをテーブルに格納してもよい。
【００５０】
また、上記属性情報データベース６２に属性値の物理量を記憶させる際には、各属性値に対し属性値の種類ごとに予め定めた数値幅（又は閾値幅）αが与えられる。例えば、アクセス端末ＡＴａにおいてセンサ３１〜３ｎから取得した属性値の物理量がＤの場合、データベース６２にはＤ±αの値が記憶される。この閾値幅αは、サービスの内容に依存して予め設定される。例えば、本システムを「認証」に用いる場合には閾値幅αは小さい値に設定され、一方本システムを「検索」に用いる場合には閾値幅αは大きな値に設定される。
【００５１】
なお、閾値幅αはシステムが自動的に設定することもできるし、ユーザがアクセス端末ＡＴａにおける手動操作により設定することもできる。システムが自動的に決定する場合は、アクセスの目的が「認証」、「検索」又は「演出効果の付加」の何れであるかによって決定する。ユーザが手動入力操作により設定する場合には、アクセス端末ＡＴａに閾値設定用のインタフェースを用意することで実現できる。
【００５２】
（３）検索を目的とするアクセス処理
（３−１）アクセス端末ＡＴａによる処理
アクセス端末ＡＴａはステップＳ３１においてアクセス要求の入力を監視する。この状態で、ユーザがアクセス条件となる実物体の物理的特徴量をセンサ群ＳＳを用いて測定させ、かつ入力部２０において電子情報のアクセス要求の１つである検索要求のための操作を行うと、ステップＳ３２において属性情報取得制御部１２が起動する。
【００５３】
そして、この属性情報取得制御部１２の制御の下で、センサ群ＳＳの各センサ３１〜３ｎのうち、事前に選択された取り込み対象のセンサから当該センサにより検出された実物体の物理的特徴量を表す属性値を取り込み、この取り込んだ各属性値を制御ユニット１０ａ内のデータメモリに保存する。なお、事前に取り込み対象となる属性値の種類が設定されている場合には、すべてのセンサ３１〜３ｎから属性値を取り込み、この取り込んだ属性値の集合の中から上記事前に選択されている属性値のみを選択する。
【００５４】
次にアクセス端末ＡＴａは、ステップＳ３３において符号化処理部１３を起動し、この符号化処理部１３において、上記センサから取り込んだ登録対象の属性値を予め決められた伝送フォーマットに従い図６に示すように符号化する。そして、ステップＳ３４において属性情報送信制御部１４を起動し、この属性情報送信制御部１４の制御の下で、上記符号化処理部１３により生成された属性情報とアクセス要求を通信インタフェースユニット３０からデータベースサーバＤＳＶａに向け送信する。
【００５５】
（３−２）データベースサーバＤＳＶａによる処理
データベースサーバＤＳＶａの制御ユニット４０ａは、ステップＳ３５によりアクセス要求の到来を監視している。この状態で、上記アクセス端末ＡＴａからアクセス要求が到来すると、ステップＳ３６により属性情報受信制御部４１を起動する。そして、この属性情報受信制御部４１の制御の下で、上記アクセス端末ＡＴａから送信された属性情報を通信インタフェースユニット５０により受信し、この受信された属性情報を制御ユニット４０ａ内のデータメモリに一時保存する。
【００５６】
次に制御ユニット４０ａは、インデックス検索処理部４４を起動する。そして、このインデックス検索処理部４４の制御の下で、先ずステップＳ３７において、上記受信された属性値情報に含まれる属性値が、属性情報データベース６２に記憶されている属性値の閾値幅αの範囲内に入るかどうかを判定する。
【００５７】
例えば、いま属性情報データベース６２に閾値幅をα1 ，α2 ，…αn が与えられた属性値Ｘ1 ，Ｘ2 ，…，Ｘn 、が記憶されており、この状態でアクセス端末ＡＴａからアクセス条件として属性値ｘ1 ，ｘ2 ，…，ｘn が送信されたとする。この場合、
（Ｘ1 −α1 ≦ｘ1 ≦Ｘ1 ＋α1 ）∧（Ｘ2 −α2 ≦ｘ2 ≦Ｘ2 ＋α2 ）∧
…∧（Ｘn −αn ≦ｘn ≦Ｘn ＋αn ）
が成り立つインデックスが登録されているか否かを判定する。
【００５８】
この判定結果、登録されている場合には、ステップＳ３８により属性情報データベース６２からインデックス情報を取得する。続いて、ステップＳ３９により電子情報検索処理部４５を起動し、上記インデックスに関連付けられている電子情報記憶場所を表す情報をもとに、記憶ユニット６０内の電子情報データベース６１或いはＷｅｂ上の他の電子情報データベースを検索して、当該記憶場所に記憶されている電子情報を取得する。そして、ステップＳ４０により電子情報送信制御部４６を起動し、この電子情報送信制御部４６の制御の下で上記取得された電子情報を予め送信先として設定されている情報提示端末ＴＭに向け通信インタフェースユニット５０から送信する。
【００５９】
情報提示端末ＴＭは、上記データベースサーバＤＳＶａから自端末宛の電子情報が伝送されると、この電子情報を受信して保存する。そして、ユーザの操作に応じて電子情報を読み出してディスプレイに表示する。  
かくして、実物体の属性値に基づく電子情報の検索処理が行われる。
【００６０】
（４）検索処理の具体例
センサ群ＳＳから取得可能な実物体の物理的特徴を表す属性値には、実物体の画像（色や形、テクスチャ、大きさ）、加速度、位置情報、地磁気情報、圧力、気温、重さ等がある。これらの属性値を選択的に用いることで、例えば以下のような電子情報に対する検索が可能となる。
【００６１】
すなわち、お花見に出掛けた際にデジタルカメラで写真を撮り、その場で拾った桜の花びらの属性値情報と写真データを、本システムで対応付けるものとする。ここで、対応付けに用いる属性値は、画像、重さ、気温及び日時とする。上記写真データを電子情報として電子情報データベース６１に記憶させる。
【００６２】
そして、上記記憶された写真データにアクセスする際には、桜の花びらをイメージセンサにより撮像してその画像データを得、また重量センサにより花びらの重さを計測すると共に、気温を温度センサにより計測する。そして、これらの画像データ、重量及び気温の各物理量を表す属性値に日時を表す情報を加えて、これを属性情報としてアクセス端末ＡＴａからデータベースサーバＤＳＶａに送る。
【００６３】
これに対しデータベースサーバＤＳＶａでは、上記アクセス端末ＡＴａから属性情報が受信されると、この属性情報に含まれる画像、重量及び気温の各物理量を表す属性値と、日時を表す情報をもとに、これらの属性値に関連付けられている電子情報の記憶場所を表す情報が属性情報データベース６２から読み出される。そして、この読み出された記憶場所を表す情報をもとに電子情報データベース６１から該当する写真データが読み出され、この写真データはデータベースサーバＤＳＶａからユーザの情報提示端末ＴＭに送られて表示される。  
すなわち、本システムによれば、実物体が桜の花びらであることが認識され、この桜の花びらに関連した写真データが検索されてユーザに提示される。
【００６４】
なお、本システムによれば、属性情報データベース６２に登録されている属性値と、アクセス条件として与えられた属性値との間の類似度を算出し、この類似度が高い順に写真データを表示することも可能である。すなわち、登録時とまったく同一の実物体の属性値を検索条件として用いれば、この実物体と対応付けした電子情報が上位に表示される。また、閾値幅αが与えられた日時情報を用いると、この日時の当日に登録された電子情報だけでなく、その日付の前後の日に登録された電子情報を表示することが可能となる。さらには、桜に関連した電子情報に限らず、桜の時期（＝春）に関連する情報を検索して提示することも可能である。
【００６５】
（５）認証を目的とするアクセス処理
本システムによるアクセス処理では、電子情報に対する「検索」ばかりでなく、ユーザ等の「認証」も行うことができる。  
すなわち、「認証」を目的とする場合には、属性情報データベース６２に記憶されている各属性値に与えられる数値幅（閾値幅）αは、先に述べたように「検索」を目的とする場合に比べ小さな値に設定される。
【００６６】
アクセス端末ＡＴａにおいて、ｎ種類の属性値を取得可能なセンサ群ＳＳを使用する場合、これらのセンサ群ＳＳからｍ種類の属性値を取得すると、得られる属性値の種類数、各種属性値の種類、各種属性値の実際の値はそれぞれ複数存在するため、得られた属性値を符号化処理部１３において属性値情報に変換する際にはnＰmの組み合わせが生じる。つまり、どの属性値を選んでどう並べるかによりnＰmの組み合わせが生じる。
【００６７】
その結果、属性情報はより複雑になって複製がより困難になるので、より高い安全性を保証することができる。このとき、ｎ種類の属性値のうち、どのｍ種類の属性値を選択するかはアクセス端末ＡＴａにおいてユーザが手動設定してもよいし、アクセス端末ＡＴａ又はデータベースサーバＤＳＶａが自動的に設定してもよい。ただし、後者の方が安全性が高まる。
【００６８】
すなわち、ｎ個のセンサを使用するシステムにおいて電子情報を登録する際に、ユーザがｍ個の属性値をアクセス端末ＡＴａにおいて選択したとすると、ある実物体及び実環境がある属性値を持った場合にのみ電子情報が表示されることになり、実物体が盗難に合った場合でも他人に電子情報にアクセスされることは困難となる。
【００６９】
以上詳述したように第１の実施形態によれば、登録対象とする属性値の種類又はセンサを事前に選択してその選択情報を保存しておき、この選択されたセンサにより検出された実物体の物理的特徴を表す属性値、又はすべてのセンサ３１〜３ｎにより検出された複数の属性値のうち上記選択された種類に対応する属性値を取得する。そして、属性値を登録する際には、上記取得された属性値を電子情報の記憶場所と関連付けてこれを第１の属性値として属性情報データベース６２に記憶させる。一方、電子情報に対しアクセスする際には、新たに取得された第２の属性値をもとに属性情報データベース６２に対し照会して当該第２の属性値と対応する第１の属性値を特定し、この特定された第１の属性値と関連付けられている記憶場所に記憶された電子情報を検索して情報提示端末ＴＭに表示するようにしている。
【００７０】
したがって、ユーザは事前に実物体の物理的特徴量を表す属性値を電子情報の記憶場所を表す情報と関連付けて登録しておけば、以後電子情報の記憶場所を表す情報やキーワードを入力することなく、所望の電子情報を検索し閲覧することができ、これによりアクセスに係るユーザの操作上の負担を大幅に軽減することができる。また、実物体の測定データと電子情報とを直接対応づけるのではなく、実物体の物理的特徴量を表す属性値を電子情報の記憶場所を表す情報と関連付けているため、実物体の物理的特徴量を表す属性値を多種多様な電子情報と関連付けることが可能となり、これにより汎用性の高いシステムを提供できる。さらに、登録対象とする属性値の種類又はセンサを事前に選択し設定しておくことで、電子情報に対し多様な実物体の属性値を関連付けることが可能となる。
【００７１】
また、属性情報データベース６２に登録する第１の属性値に閾値幅αを与え、アクセス処理時において、第２の属性値と上記閾値幅αの範囲で一致する第１の属性値を特定して、この第１の属性値と関連付けられた電子情報を検索するようにしている。このため、第２の属性値と第１の属性値とが完全に一致する場合にとどまらず、閾値幅αの範囲で類似する場合にもそれに対応する電子情報を検索することが可能となる。また、アクセスの目的が「認証」、「検索」又は「演出効果の付加」の何れであるかによって閾値幅αを可変設定することで、上記したようないわゆる曖昧検索を可能にしたり、また信頼性の高い認証を可能にすることができる。
【００７２】
［第２の実施形態］
この発明の第２の実施形態は、センサ３１〜３ｎごとにキーワードデータベースを設け、センサ３１〜３ｎにより検出された実物体の属性値を上記キーワードデータベースによりキーワードに変換し、このキーワードを用いて電子情報の検索を行うようにしたものである。
【００７３】
（構成）
この第２の実施形態に係るシステムで使用されるアクセス端末ＡＴｂは以下のように構成される。図９はその機能構成を示すブロック図である。なお、同図において前記図２と同一部分には同一符号を付して詳しい説明は省略する。
【００７４】
第２の実施形態に係るアクセス端末ＡＴｂは、キーワードデータベース７０を新たに備え、さらに制御ユニット１０ｂはこの第２の実施形態を実施するために必要な制御機能として、属性情報選択処理部１１と、属性情報取得制御部１２と、キーワード化処理部１５と、キーワード送信制御部１６を備えている。
【００７５】
キーワードデータベース７０は、センサ群ＳＳを構成する複数のセンサ３１〜３ｎの各々に対応して設けられた複数のデータベース７１〜７ｎを有する。図１１はそのうちのデータベース７１〜７３の構成を例示したものである。すなわち、データベース７１はイメージセンサ３１により検出される色や大きさ、テクスチャ等の属性値とキーワードとを関連付けたものとなっている。データベース７２は、時計３２により計時される時間にキーワードを関連付けたものとなっている。データベース７３は、温度センサ７３により検出される外気温等の属性値にキーワードを関連付けたものである。なお、属性値にはそれぞれ予め定められた閾値幅αが与えられている。
【００７６】
キーワード化処理部１５は、属性情報取得制御部１２によりセンサから取得された各属性値を、それぞれキーワードデータベース７０内の対応するデータベースを参照してキーワードに変換する処理を行う。
【００７７】
キーワード送信制御部１６は、上記キーワード化処理部１５により変換されたキーワード群を、アクセス要求と共に通信インタフェースユニット３０からデータベースサーバＤＳＶｂへ送信する処理を行う。
【００７８】
一方、データベースサーバＤＳＶｂは以下のように構成される。図１０はその機能構成を示すブロック図である。なお、同図においても前記図３と同一部分には同一符号を付して詳しい説明は省略する。
【００７９】
制御ユニット４０ｂは、この実施形態を実施するために必要な制御機能として、アドレス入力処理部４２、インデックス発行処理部４３、インデックス検索処理部４４、電子情報検索処理部４５及び電子情報送信制御部４６に加え、キーワード受信制御部４７を備えている。
【００８０】
キーワード受信制御部４７は、上記アクセス端末ＡＴｂから送信されるキーワード群と属性値群、又はキーワード群のみを通信インタフェースユニット５０を介して受信する処理を行う。
【００８１】
アドレス入力処理部４２は、登録要求が受信された場合に、上記受信されたキーワード群と対応付けるべき電子情報の記憶場所を表す情報を取得する処理を行う。この属性値と電子情報との対応付け手段としては、第１の実施形態と同様に、アクセス端末ＡＴにおいてユーザにより手動入力するものと、データベースサーバＤＳＶａが予め定められたルールに従い対応付けるものが考えられる。
【００８２】
インデックス発行処理部４３は、上記アドレス入力処理部４２により取得された電子情報の記憶場所を表す情報と、上記キーワード受信制御部４７により受信されたキーワードとを関連付けるための、共通のインデックスを発行する。そして、上記受信されたキーワードと上記発行されたインデックス情報を属性情報データベース６２に記憶させる処理を行う。
【００８３】
インデックス検索処理部４４は、アクセス要求が受信された場合に、当該アクセス要求と共に上記キーワード受信制御部４７により受信されたキーワード群と一致するキーワードが上記属性情報データベース６２に記憶されているか否かを判定する。そして該当するキーワードが記憶されていた場合に、当該キーワードに関連付けられたインデックス情報を読み出す処理を行う。
【００８４】
電子情報検索処理部４５は、第１の実施形態と同様に、上記インデックス検索処理部４４により属性情報データベース６２から読み出されたインデックス情報をもとに上記属性情報データベース６２に対し照会し、当該インデックス情報が関連付けられた電子情報記憶場所を表す情報を読出す。そして、この読み出された記憶場所情報をもとにデータベースサーバＤＳＶｂ内の電子情報データベース６１或いはＷｅｂ上のその他の電子情報データベースを検索して、当該記憶場所に記憶されている電子情報を取得する処理を行う。
【００８５】
電子情報送信制御部４６は、上記電子情報検索処理部４５により取得された電子情報を、送信先となる情報提示端末ＴＭに向け通信インタフェースユニット５０から送信させる処理を行う。送信先の情報提示端末としては、アクセス要求に含まれる送信先のアドレスにより指定される端末、或いはアクセス要求元のアクセス端末ＡＴのアドレスに予め対応付けられた送信先端末が選択される。
【００８６】
（動作）
次に、以上のように構成されたシステムによる電子情報アクセス動作を説明する。図１２は、キーワードを利用した情報検索処理の処理手順と処理内容を示すフローチャートである。なお、同図においても前記図５と同一部分には同一符号を付して詳しい説明は省略する。
【００８７】
属性情報取得制御部１２による、センサから実物体の物理的特徴量を表す属性値群を取り込む処理が終了すると、次にアクセス端末ＡＴｂはステップＳ４１においてキーワード化処理部１５を起動する。そして、このキーワード化処理部１５により、上記取得された各属性値をそれぞれキーワードデータベース７０内の対応するデータベースを参照してキーワードに変換する。
【００８８】
例えば、イメージセンサ３１により検出された色や大きさ、テクスチャ等の属性値は、「にんじん」又は「ピーマン」等のキーワードに変換される。また、時計３２の計時時刻は「ランチ」等のキーワードに変換され、温度センサ３３により検出された外気温は「とても寒い」又は「寒い」等のキーワードに変換される。
【００８９】
キーワード化処理部１５は、各属性値について上記変換処理を繰り返し実行し、すべての属性値についてキーワードへの変換が終了すると、この変換後のキーワード群をキーワード送信制御部１６に渡す。
【００９０】
上記キーワードへの変換処理が終了すると、アクセス端末ＡＴｂはステップＳ４２においてキーワード送信制御部１６を起動し、このキーワード送信制御部１６により上記変換されたキーワード群をアクセス要求と共に通信インタフェースユニット３０からデータベースサーバＤＳＶｂへ送信する。
【００９１】
一方、データベースサーバＤＳＶｂの制御ユニット４０ｂは、ステップＳ３５によりアクセス要求の到来を監視している。この状態で、上記アクセス端末ＡＴｂからアクセス要求が到来すると、ステップＳ４３によりキーワード受信制御部４７を起動する。そして、このキーワード受信制御部４７の制御の下で、上記アクセス端末ＡＴｂから送信されたキーワード群を通信インタフェースユニット５０により受信し、この受信されたキーワード群を制御ユニット４０ｂ内のデータメモリに一時保存する。
【００９２】
次に制御ユニット４０ｂは、インデックス検索処理部４４を起動する。そして、このインデックス検索処理部４４の制御の下で、先ずステップＳ３７において、上記受信されたキーワード群を構成する各キーワードが属性情報データベース６２に記憶されているか否かを判定する。そして、この判定結果記憶されている場合には、ステップＳ３８により属性情報データベース６２から上記キーワードに関連付けられたインデックス情報を読み出す。続いて、ステップＳ３９により電子情報検索処理部４５を起動し、上記インデックスに関連付けられている電子情報記憶場所を表す情報をもとに、記憶ユニット６０内の電子情報データベース６１或いはＷｅｂ上の他の電子情報データベースを検索して、当該記憶場所に記憶されている電子情報を取得する。そして、ステップＳ４０により電子情報送信制御部４６を起動し、この電子情報送信制御部４６の制御の下で上記取得された電子情報を予め送信先として設定されている情報提示端末ＴＭに向け通信インタフェースユニット５０から送信する。
情報提示端末ＴＭは、上記データベースサーバＤＳＶｂから自端末宛の電子情報が伝送されると、この電子情報を受信して保存する。そして、ユーザの操作に応じて電子情報を読み出してディスプレイに表示する。
【００９３】
以上詳述したように第２の実施形態では、センサ３１〜３ｎごとにキーワードデータベースを設け、センサ３１〜３ｎにより検出された実物体の属性値を上記キーワードデータベースによりキーワードに変換し、このキーワードを用いて電子情報の検索を行うようにしている。したがって、ユーザはセンサ３１〜３ｎを選択的に使用して実物体の物理的特徴量を検出するだけで、検索用のキーワードを勘案する等の思考プロセスを踏むことなく、ユーザ環境のコンテクストを踏まえた検索結果を閲覧することが可能となる。
【００９４】
例えば、実物体の物理的特徴を表す属性値としては、画像（色、形、テクスチャ、大きさ）、加速度、位置情報、地磁気情報、圧力、質量等が考えられる。このうち先に述べたように時間、画像と温度という属性値を取得する場合、ユーザが残っている食材の一部をイメージセンサで撮像するだけで、その属性値はアクセス端末ＡＴｂにより「夕食」、「にんじんがある」、「外は寒い」といったキーワードに変換される。そして、データベースサーバＤＳＶｂにおいて、上記キーワード群に関連付けられた電子情報を検索することにより、例えばその環境で食べるのに適した料理のレコメンドレシピをユーザに提示することができる。また、体温、気温、湿度、画像を取得するセンサを搭載した属性値取得手段をヨガ教室やジム等に設置することにより、ユーザの身体や健康を改善するのに最適なストレッチや体操等を検索し、提案することも可能となる。
【００９５】
［第３の実施形態］
この発明の第３の実施形態は、実物体の物理的特徴を表す属性値に関連付けて演出コンテンツの記憶場所を表す情報を記憶しておき、上記実物体の物理的特徴を表す属性値に基づいて電子情報を検索する際に、当該電子情報と当該電子情報に対する演出効果を有する演出コンテンツを検索して、この演出コンテンツを上記電子情報と関連付けて表示するようにしたものである。
【００９６】
（構成）
この第３の実施形態に係るシステムで使用されるアクセス端末ＡＴｃは以下のように構成される。図１３はその機能構成を示すブロック図である。なお、同図において前記図２と同一部分には同一符号を付して詳しい説明は省略する。
【００９７】
第３の実施形態に係るアクセス端末ＡＴｃは、コンテンツキーワードデータベース８０と、演出効果データベース９０を新たに備えている。コンテンツキーワードデータベース８０は、閾値幅αが与えられた属性値に関連付けてコンテンツキーワードを記憶したものである。図１５にその一例を示す。演出効果データベース９０は、コンテンツキーワードに関連付けて演出コンテンツの記憶場所を表す情報（ＩＰアドレス）を記憶したものである。図１６にその一例を示す。
【００９８】
制御ユニット１０ｃは、この第３の実施形態を実施するために必要な制御機能として、属性情報選択処理部１１、属性情報取得制御部１２及び属性情報送信処理部１４に加え、コンテンツキーワード取得処理部１７と、演出コンテンツＩＰアドレス取得処理部１８と、符号化処理部１９を備えている。
【００９９】
コンテンツキーワード取得処理部１７は、センサ３１〜３ｎにより検出された実物体の物理的特徴を表す属性値をもとに上記コンテンツキーワードデータベース８０をアクセスして、当該属性値をコンテンツキーワードに変換する処理を行う。
【０１００】
演出コンテンツＩＰアドレス取得処理部１８は、上記変換されたコンテンツキーワードに関連付けられた演出コンテンツの記憶場所を表すＩＰアドレスを、上記演出効果データベース９０から読み出す処理を行う。
符号化処理部１９は、上記センサ３１〜３ｎにより検出された実物体の物理的特徴を表す属性値と、上記演出コンテンツＩＰアドレス取得処理部１８により読み出された演出コンテンツの記憶場所を表すＩＰアドレスを、予め決められた伝送フォーマットに従い符号化する処理を行う。
【０１０１】
一方、データベースサーバＤＳＶｃは以下のように構成される。図１４はその機能構成を示すブロック図である。なお、同図においても前記図３と同一部分には同一符号を付して詳しい説明は省略する。
【０１０２】
制御ユニット４０ｃは、この実施形態を実施するために必要な制御機能として、属性情報受信制御部４１、アドレス入力処理部４２、インデックス発行処理部４３、インデックス検索処理部４４及び電子情報検索処理部４５に加え、演出コンテンツ検索処理部４８と、検索情報送信制御部４９を備えている。
【０１０３】
演出コンテンツ検索処理部４８は、上記インデックス検索処理部４４により属性情報データベース６２から読み出されたインデックス情報をもとに上記属性情報データベース６２に対し照会し、当該インデックス情報が関連付けられた演出コンテンツのＩＰアドレスを読出す。そして、この読み出されたＩＰアドレスをもとに、例えばＷｅｂ上の演出コンテンツデータベースを検索して、当該記憶場所に記憶されている演出コンテンツを取得する処理を行う。
【０１０４】
検索情報送信制御部４９は、上記電子情報検索処理部４５により取得された電子情報と、上記演出コンテンツ検索処理部４８により取得された演出コンテンツとを関連付けて表示させるべく、送信先となる情報提示端末ＴＭに向け通信インタフェースユニット５０から送信させる処理を行う。
【０１０５】
（動作）
次に、以上のように構成されたシステムによる属性情報登録処理動作と、電子情報アクセス処理動作を説明する。図１７は属性情報登録処理の処理手順と処理内容を示すフローチャート、図１８は検索を目的とした電子情報アクセス処理の処理手順と処理内容を示すフローチャートである。なお、同図においても前記図５及び図６と同一部分には同一符号を付して詳しい説明は省略する。
【０１０６】
（１）属性情報の登録
（１−１）アクセス端末ＡＴｃによる処理
属性情報取得制御部１２により、センサから実物体の物理的特徴量を表す属性値群を取り込む処理が終了すると、アクセス端末ＡＴｃは続いてステップＳ１５において符号化処理部１９を起動し、この符号化処理部１９により、上記センサ３１〜３ｎにより検出された実物体の物理的特徴を表す属性値を伝送フォーマットに従い符号化する。そして、この符号化処理により生成された属性情報の伝送データを、属性情報送信処理部１４の制御の下、ステップＳ１６により登録要求と共にデータベースサーバＤＳＶｃに向け送信する。
【０１０７】
（１−２）データベースサーバＤＳＶｃによる処理
データベースサーバＤＳＶｃの制御ユニット４０ｃは、ステップＳ１７により登録要求の到来を監視している。この状態で、上記アクセス端末ＡＴｃから登録要求が到来すると、ステップＳ１８により属性情報受信制御部４１を起動する。そして、この属性情報受信制御部４１の制御の下で、上記アクセス端末ＡＴｃから送信された属性情報を通信インタフェースユニット５０により受信し、この受信された属性情報を制御ユニット４０ｃ内のデータメモリに一時保存する。
【０１０８】
次に制御ユニット４０ｃは、ステップＳ１９によりアドレス入力処理部４２を起動し、このアドレス入力処理部４２により、上記受信された属性情報に含まれる属性値と対応付けるべき電子情報の記憶場所を表す情報を、例えばアクセス端末ＡＴｃから取得する。なお、制御ユニット４０ｃが予め定められたルールに従い電子情報の記憶場所を表す情報を取得するようにしてもよい。
【０１０９】
続いて制御ユニット４０ｃは、ステップＳ２０によりインデックス発行処理部４３を起動し、このインデックス発行処理部４３により、上記アドレス入力処理部４２により取得された電子情報の記憶場所を表す情報と上記受信された属性値とを関連付けるための共通インデックスを発行する。そして、上記発行されたインデックス情報を、属性情報データベース６２に記憶させる。
【０１１０】
（２）検索を目的とするアクセス処理
（２−１）アクセス端末ＡＴｃによる処理
属性情報取得制御部１２による、センサから実物体の物理的特徴量を表す属性値群を取り込む処理が終了すると、次にアクセス端末ＡＴｃはステップＳ５１においてコンテンツキーワード取得処理部１７を起動する。そして、このコンテンツキーワード取得処理部１７により、上記取得された各属性値をコンテンツキーワードデータベース８０を参照してコンテンツキーワードに変換する。
続いてアクセス端末ＡＴｃは、ステップＳ５２において演出コンテンツＩＰアドレス取得制御部１８を起動し、この演出コンテンツＩＰアドレス取得制御部１８により、上記変換されたコンテンツキーワードに関連付けられた演出コンテンツの記憶場所を表すＩＰアドレスを、上記演出効果データベース９０から読み出す。
【０１１１】
そして、ステップＳ３３において符号化処理部１９を起動し、この符号化処理部１９により、上記センサ３１〜３ｎにより検出された実物体の物理的特徴を表す属性値と、上記演出コンテンツＩＰアドレス取得処理部１８により読み出された演出コンテンツの記憶場所を表すＩＰアドレスを、伝送フォーマットに従い符号化する。そして、この符号化処理により生成された属性情報の伝送データを、属性情報送信処理部１４の制御の下、ステップＳ３４によりデータベースサーバＤＳＶｃに向け送信する。
【０１１２】
（２−２）データベースサーバＤＳＶｃによる処理
データベースサーバＤＳＶｃの制御ユニット４０ｃは、上記アクセス端末ＡＴｃから送信された属性情報を受信すると、インデックス検索処理部４４を起動する。そして、このインデックス検索処理部４４の制御の下で、先ずステップＳ３７において、上記受信された属性値情報に含まれる属性値が、属性情報データベース６２に記憶されている属性値の閾値幅αの範囲内に入るかどうかを判定する。この判定結果、閾値幅αの範囲内に入っていれば、続いてステップＳ３８により属性情報データベース６２からインデックス情報を取得する。そして、ステップＳ３９により電子情報検索処理部４５を起動し、上記インデックスに関連付けられている電子情報記憶場所を表す情報をもとに、記憶ユニット６０内の電子情報データベース６１或いはＷｅｂ上の他の電子情報データベースを検索して、当該記憶場所に記憶されている電子情報を取得する。
【０１１３】
次に制御ユニット４０ｃは、ステップＳ４４において演出コンテンツ検索処理部４８を起動する。そして、この演出コンテンツ検索処理部４８により、上記インデックス検索処理部４４により属性情報データベース６２から読み出されたインデックス情報をもとに上記属性情報データベース６２に対し照会し、当該インデックス情報が関連付けられた演出コンテンツのＩＰアドレスを読出す。そして、この読み出されたＩＰアドレスをもとに、例えばＷｅｂ上の演出コンテンツデータベースを検索して、当該記憶場所に記憶されている演出コンテンツを取得する。
【０１１４】
最後に制御ユニット４０ｃは、ステップＳ４０により検索情報送信制御部４９を起動し、上記電子情報検索処理部４５により取得された電子情報と、上記演出コンテンツ検索処理部４８により取得された演出コンテンツとを関連付けて、送信先となる情報提示端末ＴＭに向け通信インタフェースユニット５０から送信させる。
【０１１５】
この結果情報提示端末ＴＭでは、上記演出コンテンツによる演出効果が行われた状態で電子情報が表示される。例えば、花見の時の写真データを表示する際に、このときの時刻が夜間であれば、夜桜に合った演出コンテンツ（例えば背景画像）とともに写真データが表示される。また、桜にちなんだ音楽コンテンツによる楽曲がバックグランドミュージックとして拡声出力された状態で、花見等の写真データが表示される。
【０１１６】
以上詳述したように第３の実施形態によれば、ユーザは実物体の物理的特徴を表す属性情報をセンサで入力するだけで、当該属性値に関連付けられた電子情報を、当該属性値に関連付けられた演出コンテンツと共にユーザに提示することができる。
【０１１７】
［第４の実施形態］
第１の実施形態において、属性情報データベース６２に属性値にインデックス情報を関連付ける際に、予め用意されたキーワードデータベースを参照して属性値情報にキーワードを付加するようにしてもよい。
【０１１８】
例えば、アクセス端末ＡＴａに図１５に例示したキーワードデータベース８０を設けておき、属性情報データベース６２に属性値を登録する際に、上記キーワードデータベース８０を参照することにより、属性値に対しキーワードを紐づけて登録することが可能である。この場合、キーワードデータベース８０には閾値幅αを持った属性値とキーワードを記憶しておく。
【０１１９】
アクセス端末ＡＴａは、属性情報取得制御部１２によりセンサ群ＳＳから取得された属性値と、キーワードデータベース８０に記憶されている属性値の類似度を計算し、類似度の高い属性値と紐づけられているキーワードを属性値データベース６２に登録する。例えば、キーワードデータベース８０に、イメージセンサ３１から取得される、色、大きさ及びテクスチャからなる属性値とキーワードが登録されているとする。そして、桜の花びらと花見の時の写真データ等の電子情報とを紐づける登録作業をするものとする。この場合、センサにより桜の花びらの物理的特徴量を検出させると、その属性値情報が属性情報データベース６２に登録されると共に、キーワードデータベース８０が参照されて類似度が計算され、類似度が高い属性値と紐づけられている「桜」というキーワードが、属性情報データベース６２に登録される。
【０１２０】
このようにすることで、例えば電子情報の閲覧時に、同じキーワード又は一部の属性値の類似度が高いキーワードを持つ電子情報を併せて表示することができる。また、キーワードデータベースに、複数のキーワードを包括するメタキーワードを登録しておくことにより、メタキーワードにより包括される複数のキーワードを持つ電子情報を併せて表示することも可能となる。例えば、「植物」というメタキーワードを設定しておくと、「桜」というキーワードを持つインデックスと、「クローバ」というキーワードを持つインデックスに関連付けられた電子情報を一括して表示させることが可能となる。
【０１２１】
［その他の実施形態］
前記各実施形態では、電子情報データベース６１及び属性情報データベース６２をＷｅｂ上のデータベースサーバＤＳＶに設けた場合を例にとって説明したが、ユーザが使用するパーソナル・コンピュータに設けてもよい。この場合、上記各データベース６１，６２は、パーソナル・コンピュータ内の記憶ユニット又はパーソナル・コンピュータに接続した外部記憶ユニットの何れに設けてもよい。また、データベースサーバＤＳＶの処理機能をユーザのパーソナル・コンピュータに設けるようにしてもよい。
【０１２２】
また、前記各実施形態では属性情報選択処理部１１により選択設定されたセンサの種類又は属性値の種類に応じて、取り込み対象の属性値を選択するようにした。しかし、これに限らず、属性情報をデータベースサーバＤＳＶａに送信する際に、上記選択設定されたセンサの種類又は属性値の種類に応じて送信対象の属性値を選択するようにしてもよい。
【０１２３】
その他、センサの種類や設置場所、属性値の種類、電子情報の種類と構成、属性情報の登録処理手順とその内容、電子情報アクセス処理の手順とその処理内容等についても、この発明の要旨を逸脱しない範囲で種々変形して実施可能である。
【０１２４】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【０１２５】
ＳＳ…センサ群、ＡＴａ，ＡＴｂ，ＡＴｃ…アクセス端末、ＤＳＶａ，ＤＳｂ，ＤＳＶｃ…データベースサーバ、ＴＭ…情報提示端末、ＮＷ…通信ネットワーク、１０ａ，１０ｂ，１０ｃ…アクセス端末の制御ユニット、１１…属性情報選択処理部、１２…属性情報取得制御部、１３，１９…符号化処理部、１４…属性情報送信制御部、１５…キーワードか処理部、１６…キーワード送信制御部、１７…コンテンツキーワード取得処理部、１８…演出コンテンツＩＰアドレス取得処理部、２０…入力部、３０…アクセス端末の通信インタフェースユニット、３１〜３ｎ…センサ、４０ａ…データベースサーバの制御ユニット、４１…属性情報受信制御部、４２…アドレス入力処理部、４３…インデックス発行処理部、４４…インデックス検索処理部、４５…電子情報検索処理部、４６…電子情報送信制御部、４７…キーワード受信制御部、５０…データベースサーバの通信インタフェースユニット、６０…記憶ユニット、６１…電子情報データベース、６２…属性情報データベース、７０，７１〜７３…キーワードデータベース、８０…コンテンツキーワードデータベース、９０…演出効果データベース。
【図１】
0005560226.tif 000002
【図２】
0005560226.tif 000003
【図３】
0005560226.tif 000004
【図４】
0005560226.tif 000005
【図５】
0005560226.tif 000006
【図６】
0005560226.tif 000007
【図７】
0005560226.tif 000008
【図８】
0005560226.tif 000009
【図９】
0005560226.tif 000010
【図１０】
0005560226.tif 000011
【図１１】
0005560226.tif 000012
【図１２】
0005560226.tif 000013
【図１３】
0005560226.tif 000014
【図１４】
0005560226.tif 000015
【図１５】
0005560226.tif 000016
【図１６】
0005560226.tif 000017
【図１７】
0005560226.tif 000018
【図１８】
0005560226.tif 000019